(57)【要約】【課題】  戸棚などの箱体を簡潔構造で昇降可能とし、簡潔構造で安定的にスライドすると共に美観上好ましいワイド型スライドユニットとワイド型スライドユニット式昇降戸棚を提供すること。【解決手段】  本発明のワイド型スライドユニット１は、両方の側面側に沿ってそれぞれガイド溝２ａが形成された長方形状のガイドケース２と、両方の側面側に沿ってそれぞれスライド溝３ａがガイドケース２のガイド溝２ａに対向する位置に形成された長方形状のスライドケース３と、ガイド溝２ａとスライド溝３ａとに取付けられるスライダー４とを備えることとした。【選択図】図１
2008161612.tif 000002
【特許請求の範囲】
【請求項１】
両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを備えたことを特徴とするワイド型スライドユニット。
【請求項２】
前記スライダーは、円柱体が互いに平行に形成された形状とすることを特徴とする請求項１に記載のワイド型スライドユニット。
【請求項３】
下側が開口した戸棚ケースと、前記戸棚ケースの内側に収納される収納棚と、前記戸棚ケースの内側側面と前記収納棚の外側側面との間に垂直方向に取付けられるワイド型スライドユニットと、ベルトまたはワイヤをモータ駆動により巻取り巻戻し、前記収納棚を前記ワイド型スライドユニットに沿って垂直方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることを特徴とするワイド型スライドユニット式昇降戸棚。
【請求項４】
下側が開口した戸棚ケースと、前記戸棚ケースの内側に収納される収納棚と、前記戸棚ケースの内側側面と前記収納棚の外側側面との間で斜め方向に取付けられるワイド型スライドユニットと、ベルトまたはワイヤをモータ駆動により巻取り巻戻し、前記収納棚を前記ワイド型スライドユニットに沿って斜め方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることを特徴とするワイド型スライドユニット式昇降戸棚。
【請求項５】
下側が開口した戸棚ケースと、前記戸棚ケースの内側に収納される昇降ケースと、前記戸棚ケースの内側側面と前記昇降ケースの外側側面との間に垂直方向に取付けられる第１のワイド型スライドユニットと、前記昇降ケースの内側に収納される収納棚と、前記昇降ケースの内側側面と前記収納棚の外側側面との間で斜め方向に取付けられる第２のワイド型スライドユニットと、ベルトまたはワイヤをモータ駆動により巻取り巻戻し、前記収納棚を前記第１のワイド型スライドユニットに沿って垂直方向にスライド移動させ、さらに前記収納棚を前記第２のワイド型スライドユニットに沿って斜め方向にスライド移動させる昇降装置とを備え、前記第１、第２のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることを特徴とするワイド型スライドユニット式昇降戸棚。
【請求項６】
前記戸棚ケースの内側にバネを介して吊下げられ、前記ベルトまたはワイヤが掛けられるガイドローラ、または前記ベルトまたはワイヤの端部が固定される固定バーが取付けられる可動ブラケットと、前記可動ブラケットの上方または下方への移動により傾動する傾動バーと、前記傾動バーの傾動により抵抗値が変動する可変抵抗ユニットとを備え、前記可変抵抗ユニットの変動により前記ベルトまたはワイヤの前記モータ駆動を停止することを特徴とする請求項３から請求項５のいずれが１項に記載のワイド型スライドユニット式昇降戸棚。
【発明の詳細な説明】
【技術分野】
【０００１】  本発明は、戸棚などの箱体を簡潔構造で昇降可能とし、簡潔構造で安定的にスライドすると共に美観上好ましいワイド型スライドユニットとワイド型スライドユニット式昇降戸棚に関する。
【背景技術】
【０００２】  従来の戸棚などの箱体には、外側に取付けたケースとの間にスライドユニットを設置し、ベルトなどの駆動により昇降にする昇降装置が設置されている昇降戸棚がある（例えば、特許文献１参照）。【０００３】
【特許文献１】  特開平１１−２０６４７５号公報
【発明の開示】
【発明が解決しようとする課題】
【０００４】  しかしながら、従来の戸棚などに使用される昇降装置は、スライドユニットにより戸棚などを上下方向にスライド可能とし、ベルトなどの駆動により昇降にしているが、スライドユニットは、多数のローラを使用するため機構が複雑であり、また、戸棚などを上下方向に安定的にスライドするためには戸棚などの両側面に複数のスライドユニットを装着しなければならずコスト高となり、さらにスライドユニットが露出するため美観上好ましくないという問題があった。
本発明は、上記の問題に鑑みてなされたものであって、戸棚などの箱体を簡潔構造で昇降可能とし、簡潔構造で安定的にスライドすると共に美観上好ましいワイド型スライドユニットとワイド型スライドユニット式昇降戸棚を提供することを目的とする。
【課題を解決するための手段】
【０００５】  本発明のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを備えることとした。
また、前記スライダーは、円柱体が互いに平行に形成された形状とすることとした。
また、本発明のワイド型スライドユニット式昇降戸棚は、下側が開口した戸棚ケースと、前記戸棚ケースの内側に収納される収納棚と、前記戸棚ケースの内側側面と前記収納棚の外側側面との間に垂直方向に取付けられるワイド型スライドユニットと、ベルトまたはワイヤをモータ駆動により巻取り巻戻し、前記収納棚を前記ワイド型スライドユニットに沿って垂直方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとした。
また、本発明のワイド型スライドユニット式昇降戸棚は、下側が開口した戸棚ケースと、前記戸棚ケースの内側に収納される収納棚と、前記戸棚ケースの内側側面と前記収納棚の外側側面との間で斜め方向に取付けられるワイド型スライドユニットと、ベルトまたはワイヤをモータ駆動により巻取り巻戻し、前記収納棚を前記ワイド型スライドユニットに沿って斜め方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとした。
また、本発明のワイド型スライドユニット式昇降戸棚は、下側が開口した戸棚ケースと、前記戸棚ケースの内側に収納される昇降ケースと、前記戸棚ケースの内側側面と前記昇降ケースの外側側面との間に垂直方向に取付けられる第１のワイド型スライドユニットと、前記昇降ケースの内側に収納される収納棚と、前記昇降ケースの内側側面と前記収納棚の外側側面との間で斜め方向に取付けられる第２のワイド型スライドユニットと、ベルトまたはワイヤをモータ駆動により巻取り巻戻し、前記収納棚を前記第１のワイド型スライドユニットに沿って垂直方向にスライド移動させ、さらに前記収納棚を前記第２のワイド型スライドユニットに沿って斜め方向にスライド移動させる昇降装置とを備え、前記第１、第２のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとした。
さらに、前記戸棚ケースの内側にバネを介して吊下げられ、前記ベルトまたはワイヤが掛けられるガイドローラ、または前記ベルトまたはワイヤの端部が固定される固定バーが取付けられる可動ブラケットと、前記可動ブラケットの上方または下方への移動により傾動する傾動バーと、前記傾動バーの傾動により抵抗値が変動する可変抵抗ユニットとを備え、前記可変抵抗ユニットの変動により前記ベルトまたはワイヤの前記モータ駆動を停止することとした。
【発明の効果】
【０００６】  本発明のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを備えることとしたため、スライドケースがガイドケースに沿って円滑にスライドすることができ、横方向の強度の高い安定的なスライドをすることができ、また、美観上好ましい取付けとすることもできる。
また、前記スライダーは、円柱体が互いに平行に形成された形状とすることとしたため、スライドケースがガイドケースに沿ってより円滑にスライドすることができる。
また、本発明のワイド型スライドユニット式昇降戸棚は、下側が開口した戸棚ケースと、前記戸棚ケースの内側に収納される収納棚と、前記戸棚ケースの内側側面と前記収納棚の外側側面との間に垂直方向に取付けられるワイド型スライドユニットと、ベルトまたはワイヤをモータ駆動により巻取り巻戻し、前記収納棚を前記ワイド型スライドユニットに沿って垂直方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとしたため、ワイド型スライドユニットにより、収納棚を垂直方向に円滑にスライド昇降することができ、収納棚を前後方向に高い強度で安定的にかつ円滑にスライドをすることもできる。また、収納棚が下降してもスライドケースは外から見えないようにすることもでき、美観上好ましいものとすることができる。
また、本発明のワイド型スライドユニット式昇降戸棚は、下側が開口した戸棚ケースと、前記戸棚ケースの内側に収納される収納棚と、前記戸棚ケースの内側側面と前記収納棚の外側側面との間で斜め方向に取付けられるワイド型スライドユニットと、ベルトまたはワイヤをモータ駆動により巻取り巻戻し、前記収納棚を前記ワイド型スライドユニットに沿って斜め方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとしたため、ワイド型スライドユニットにより、収納棚を斜め方向に円滑にスライド昇降することができ、収納棚を前後方向に高い強度で安定的にかつ円滑にスライドをすることもできる。また、収納棚が下降してもスライドケースは外から見えないようにすることもでき、美観上好ましいものとすることができる。
また、本発明のワイド型スライドユニット式昇降戸棚は、下側が開口した戸棚ケースと、前記戸棚ケースの内側に収納される昇降ケースと、前記戸棚ケースの内側側面と前記昇降ケースの外側側面との間に垂直方向に取付けられる第１のワイド型スライドユニットと、前記昇降ケースの内側に収納される収納棚と、前記昇降ケースの内側側面と前記収納棚の外側側面との間で斜め方向に取付けられる第２のワイド型スライドユニットと、ベルトまたはワイヤをモータ駆動により巻取り巻戻し、前記収納棚を前記第１のワイド型スライドユニットに沿って垂直方向にスライド移動させ、さらに前記収納棚を前記第２のワイド型スライドユニットに沿って斜め方向にスライド移動させる昇降装置とを備え、前記第１、第２のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとしたため、第１のワイド型スライドユニットにより、収納棚が下降するときには収納棚を前後方向に高い強度で安定的にかつ円滑にスライドをすることができ、第２のワイド型スライドユニットにより、収納棚が斜め方向に移動するときには収納棚を前後上下方向に高い強度で、安定的にかつ円滑にスライドをすることができる。また、収納棚が下降っするときと斜め前方向に移動するときワイド型スライドユニットは外から見えないようにすることもでき、美観上好ましいものとすることができる。
さらに、前記戸棚ケースの内側にバネを介して吊下げられ、前記ベルトまたはワイヤが掛けられるガイドローラ、または前記ベルトまたはワイヤの端部が固定される固定バーが取付けられる可動ブラケットと、前記可動ブラケットの上方または下方への移動により傾動する傾動バーと、前記傾動バーの傾動により抵抗値が変動する可変抵抗ユニットとを備え、前記可変抵抗ユニットの変動により前記ベルトまたはワイヤの前記モータ駆動を停止することとしたため、可動ブラッケットの僅かの移動により、正面から見て左右に収納棚が傾斜することなく、モータ駆動を停止することができ、簡潔構造でコスト低減を図ることもできる。
【発明を実施するための最良の形態】
【０００７】  以下、本発明の実施の形態のワイド型スライドユニットと、そのワイド型スライドユニットを使用するワイド型スライドユニット式昇降戸棚につき説明する。
【実施例】
【０００８】  図１は、本発明の第１の実施の形態のワイド型スライドユニットの斜視図を示し、図１（ａ）は、スライドケースが上方位置にあるときの斜視図を示し、図１（ｂ）は、スライドケースが下降しているときの斜視図を示す。
図１（ａ）に示すように、本発明の第１の実施の形態のワイド型スライドユニット１は、長方形状のガイドケース２と、長方形状のスライドケース３と、スライダー４とで構成されている。長方形状のガイドケース２には、両方の側面側に沿ってそれぞれ円柱形状のガイド溝２ａが形成され、長方形状のスライドケース３には、両方の側面側に沿ってそれぞれ円柱形状のスライド溝３ａが形成され、ガイド溝２ａとスライド溝３ａとは、互いに対向する位置に形成されている。スライダー４は、円柱体４ａ、４ｂが互いに平行に配置され、長方形状のスライドケース３と同じ長さの形状に形成され、円柱体４ａが円柱形状のガイド溝２ａにスライド自在に挿入され、円柱体４ｂがスライド溝３ａに固定されている。
そのため、図１（ｂ）に示すように、本発明の第１の実施の形態のワイド型スライドユニット１は、スライドケース３がガイドケース２に沿ってスライドすることができる。
なお、図１では、長方形状のスライドケース３の長さＬｂは、長方形状のガイドケース２の長さＬａより短く設定しているが、長方形状のスライドケース３と長方形状のガイドケース２とは、同じ長さに設定し、スライダー４は、円柱体４ａを円柱形状のガイド溝２ａに固定し、円柱体４ｂをスライド溝３ａにスライド自在に挿入することもできる。
また【０００９】  図２は、本発明の第１の実施の形態のワイド型スライドユニットの断面図を示し、図２（ａ）は、スライドケースの断面図を示し、図２（ｂ）は、スライダーの断面図を示し、図２（ｃ）は、ガイドケースの断面図を示し、図２（ｄ）は、組立てられたワイド型スライドユニットの断面図を示す。
図２（ａ）に示すように、長方形状のスライドケース３は、両方の側面側に沿ってそれぞれ円柱形状のスライド溝３ａが形成されている。
図２（ｂ）に示すように、スライダー４は、円柱体４ａ、４ｂが縦方向に互いに平行に配置され、スライダー４の円柱体４ｂは、スライドケース３のスライド溝３ａに固定される。スライダー４は、ＰＴＦＥなどの樹脂で形成する。
図２（ｃ）に示すように、長方形状の長方形状のガイドケース２は、両方の側面側に沿ってそれぞれ円柱形状のガイド溝２ａが形成され、長方形状のガイドケース２のガイド溝２ａと、長方形状のスライドケース３のスライド溝３ａとは、互いに対向する位置に形成されている。スライダー４の円柱体４ａはガイド溝２ａにスライド自在に挿入される。
図２（ｄ）に示すように、長方形状のスライドケース３には、円柱形状のスライド溝３ａにスライダー４の円柱体４ｂが固定され、長方形状の長方形状のガイドケース２には、円柱形状のスライド溝２ａにスライダー４の円柱体４ａがスライド自在に挿入され、本発明の第１の実施の形態のワイド型スライドユニット１は、スライドケース３がガイドケース２に沿ってスライドすることができる。【００１０】  以上述べたように、本発明の第１の実施の形態のワイド型スライドユニット１は、長方形状のスライドケース３と長方形状のガイドケース２の両方の側面側に取付けたスライダー４により、スライドケース３がガイドケース２に沿って円滑にスライドすることができ、また、長方形状のスライドケース３と長方形状のガイドケース２の横幅Ｗを広く設定することができ、横方向の強度の高い安定的なスライドをすることができる。また、後記するワイド型スライドユニット式昇降戸棚に装着したとき、長方形状のスライドケース３が下降しても外から見えないようにすることもでき、美観上好ましいものとすることができる。【００１１】  図３は、本発明の第１の実施の形態の他の実施例のワイド型スライドユニットを示し、図３（ａ）は、ガイドローラ付の断面図を示し、図３（ｂ）は、スリット付のスライダーの断面図を示す。
図３（ａ）に示すように、他の実施例のワイド型スライドユニット５は、長方形状のガイドケース２にＩ字型のガイドローラ取付けブラケット６が固定され、ガイドローラ取付けブラケット６に沿って移動可能に両側からガイドローラ７が回転自在にスライドケース３に取付けられている。そのため、ガイドケース２に沿ってスライドケース３がさらに円滑にスライドするようにすることもできる。
図３（ｂ）に示すように、他の実施例のワイド型スライドユニット８は、スライダー４の円柱体４ａに縦方向に沿ってスリット９を形成している。そのため、円柱体４ａがガイドケース２の円柱形状のガイド溝２ａをより円滑にスライドすることができ、スライドケース３がさらに円滑にスライドするようにすることもできる。
【実施例２】
【００１２】  図４は、本発明の第２の実施の形態のワイド型スライドユニット式昇降戸棚の斜視図を示し、図４（ａ）は、ワイド型スライドユニット式昇降戸棚の収納棚が戸棚ケースに収納されたときの斜視図を示し、図４（ｂ）は、ワイド型スライドユニット式昇降戸棚の収納棚が下降したときの斜視図を示し、図４（ｃ）は、収納棚が下降したときのワイド型スライドユニットの一部斜視図を示す。
図４（ａ）に示すように、本発明の第２の実施の形態のワイド型スライドユニット式昇降戸棚１０は、下側が開口した戸棚ケース１１に収納された収納棚１２を垂直方向に昇降するもので、戸棚ケース１１は、収納棚１２の内側側面との間に設けられたワイド型スライドユニット１により垂直方向にスライド可能に取付けられている。戸棚ケース１１の内側上方には収納棚１２を昇降させる図５に示す昇降装置２０が設置されている。
図４（ｂ）に示すように、ワイド型スライドユニット式昇降戸棚１０の収納棚１２は、ワイド型スライドユニット１にガイドされ、昇降装置２０により予め定めた下端まで戸棚ケース１１から下降することができる。
図４（ｃ）に示すように、ワイド型スライドユニット１は、長方形状のガイドケース２が戸棚ケース１１の内側側面に固定され、長方形状のスライドケース３が収納棚１２の外側側面に固定されている。スライドケース３は、収納棚１２が戸棚ケース１１に収納されているときには、戸棚ケース１１の内側側面の上方位置にあるが、収納棚１２が下降するときには、戸棚ケース１１の内側側面の下端の外側から見えない位置にあり、美観上も好ましく、収納棚１２の中のものの取出しや収納を容易にすることができる。【００１３】  図５は、本発明の第２の実施の形態のワイド型スライドユニット式昇降戸棚に設けられる昇降装置の斜視図を示す。
図５に示すように、昇降装置２０は、収納棚１２の上面側の中央位置で戸棚ケース１１（図４参照）の上面側の内側に駆動モータ２１が取付けられ、駆動モータ２１は、ＤＣモータ２１ａと、ＤＣモータ２１ａの回転数を減速しトルクを増大する減速器２１ｂとで構成され、減速器２１ｂは、戸棚ケース１１の内部に取付けられた回転軸２４に連結している。回転軸２４には巻取りローラ２２が取り付けられ、ガイドローラ２３が収納棚１２の上部端部側に取り付けられ、ベルト２８は、一方の端部が巻取りローラ２２に固定されガイドローラ２３に掛けられ、他方の端部が戸棚ケース１１の内部に取付けられた固定バー２５に固定されている。昇降装置２０の他方側も同様の構成となっている。
駆動モータ２１は、上昇スイッチ２９ａと下降スイッチ２９ｂとを有し壁面などに設けられる操作スイッチ２９に接続している。上昇スイッチ２９ａが操作されると、駆動モータ２１は正転作動して巻取りローラ２２がベルト２８を巻き取って収納棚１２を上昇させ、下降スイッチ２９ｂが操作されると、逆転作動して巻取りローラ２２を逆転回動させ巻取りローラ２２に巻かれているベルト２８は巻き戻され収納棚１２を下降させることができる。
なお、昇降装置２０では、ベルト２８はガイドローラ２３に掛けてから、他方の端部を戸棚ケース１１の内部に取付けられた固定バー２５に固定することとしたが、ガイドローラ２３に掛けてから、戸棚ケース１１の内部に取付けたガイドローラに掛け、他方の端部を戸棚ケース１１の上側に固定することもできる。【００１４】  以上述べたように、本発明の第２の実施の形態のワイド型スライドユニット式昇降戸棚１０は、収納棚１２の外側側面に固定されたスライドケース３が戸棚ケース１１の内側側面に固定されたガイドケース２に沿ってスライドするワイド型スライドユニット１により、収納棚１２を垂直方向に円滑にスライド昇降することができ、また、ワイド型スライドユニット１は、長方形状のスライドケース３と長方形状のガイドケース２の横幅Ｗを広く設定することができるため、収納棚１２を前後方向に高い強度で安定的に、かつ円滑にスライドをすることができる。また、収納棚１２が下降してもスライドケース３は外から見えないようにすることもでき、美観上好ましいものとすることができる。
【実施例３】
【００１５】  図６は、本発明の第３の実施の形態のワイド型スライドユニット式昇降戸棚の斜視図を示し、図６（ａ）は、ワイド型スライドユニット式昇降戸棚の収納棚が戸棚ケースに収納されたときの斜視図を示し、図６（ｂ）は、ワイド型スライドユニット式昇降戸棚の収納棚が斜め前方に下降したときの斜視図を示す。
図６（ａ）に示すように、本発明の第３の実施の形態のワイド型スライドユニット式昇降戸棚３０は、下側が開口した戸棚ケース３１に収納された収納棚３２を斜め前方に昇降する。戸棚ケース３１は、収納棚３２の内側側面との間に設けられたワイド型スライドユニット１により斜め前方にスライド可能に取付けられている。戸棚ケース３１の内側上方には収納棚３２を昇降させる昇降装置４０が設置されている。
図６（ｂ）に示すように、ワイド型スライドユニット式昇降戸棚３０の収納棚３２は、ワイド型スライドユニット１にガイドされ、昇降装置４０により予め定めた斜め前方の下端まで戸棚ケース３１から下降することができる。収納棚３２は、斜め前方に下降するときには、戸棚ケース３１の前面に設けられた開閉扉３３は開口する。
図７は、本発明の第３の実施の形態のワイド型スライドユニット式昇降戸棚の側面図を示し、図７（ａ）は、収納棚が戸棚ケースに収納されたときの側面図を示し、図７（ｂ）は、収納棚が斜め前方に下降したときの側面図を示す。
図７（ａ）に示すように、本発明の第３の実施の形態のワイド型スライドユニット式昇降戸棚３０の戸棚ケース３１は、収納棚３２の内側側面との間に設けられたワイド型スライドユニット１により斜め前方にスライド可能に取付けられている。ワイド型スライドユニット１は、長方形状のガイドケース２が戸棚ケース３１の内側側面に固定され、長方形状のスライドケース３が収納棚３２の外側側面に固定されている。スライドケース３は、収納棚３２が戸棚ケース３１に収納されているときには上方位置にある。
図７（ｂ）に示すように、ワイド型スライドユニット式昇降戸棚３０の収納棚３２は、ワイド型スライドユニット１にガイドされ、図６に示す昇降装置４０により予め定めた斜め前方の下端まで戸棚ケース３１から下降することができる。収納棚３２は、斜め前方の下端までに下降したときには、スライドケース３は、下方位置にあるが戸棚ケース３１の内側側面の下端の外側から見えない位置にあり、美観上も好ましく、このとき戸棚ケース３１の前面に設けられた開閉扉３３は開口し、収納棚３２の中のものの取出しや収納を行うことができる。なお、本発明の第３の実施の形態のワイド型スライドユニット式昇降戸棚３０で使用する昇降装置４０は、図５に示す昇降装置２０と同じものを使用することができる。【００１６】  以上述べたように、本発明の第３の実施の形態のワイド型スライドユニット式昇降戸棚３０は、収納棚３２の外側側面に固定されたスライドケース３が戸棚ケース３１の内側側面に固定されたガイドケース２に沿ってスライドするワイド型スライドユニット１により、収納棚３２を斜め方向に円滑にスライド昇降することができ、また、ワイド型スライドユニット１は、長方形状のスライドケース３と長方形状のガイドケース２の横幅Ｗを広く設定することができるため、収納棚３２を前後方向に高い強度で安定的に、かつ円滑にスライドをすることができる。また、収納棚３２が下降してもスライドケース３は外から見えないようにすることもでき、美観上好ましいものとすることができる。
【実施例４】
【００１７】  図８は、本発明の第４の実施の形態のワイド型スライドユニット式昇降戸棚の分解斜視図を示し、図８（ａ）は、戸棚ケースの斜視図を示し、図８（ｂ）は、戸棚ケースに収納される昇降ケースの斜視図を示し、図８（ｃ）は、昇降ケースに収納される収納棚の斜視図を示す。
本発明の第４の実施の形態のワイド型スライドユニット式昇降戸棚は、収納棚５３を垂直方向に昇降するとともに斜め前方に引出すもので、戸棚ケース５１に昇降可能に昇降ケース５２が収納され、昇降ケース５２に収納される収納棚５３が斜め前方に引出し可能に収納されている。
図８（ａ）に示すように、戸棚ケース５１は、下側が開口するとともに、前方下方に開口部５１ａが形成され、昇降ケース５２に収納される収納棚５３が下降したとき開口部５１ａを通り斜め前方に引出される。戸棚ケース５１の内側側面には垂直方向取付のワイド型スライドユニット１Ａが取付けられ、戸棚ケース５１の内側上方には収納棚５３を移動させる図９に示す昇降装置６０が設置されている。
図８（ｂ）に示すように、昇降ケース５２は、矢印Ｄに示すように上下方向にスライド可能に収納され、戸棚ケース５１の上下面と前面とが開口している。垂直方向取付のワイド型スライドユニット１Ａのガイドケース２ａは戸棚ケース５１の内側側面に取付けられているが、スライドケース３ａは昇降ケース５２の外側側面の上方に取付けられている。また、戸棚ケース５１の内側側面には斜め方向取付のワイド型スライドユニット１Ｂが取付けられている。
斜め方向取付のワイド型スライドユニット１Ｂのガイドケース２ｂは昇降ケース５２の内側側面に取付けられているが、図８（ｃ）に示すように、スライドケース３ｂは収納棚５３の外側側面の後方に取付けられている。そのため、収納棚５３は矢印Ｚに示すように斜め前方にスライド可能に収納され、前面が開口している。収納棚５３が戸棚ケース５１から下降しても強度上戸棚ケースの下方外側まで下降できず一部は戸棚ケース５１の中に残るが、戸棚ケース５１の前面には開口部５１ａが設けられているため、収納棚５３が下降したとき収納棚５３の前面は全面的に開口する。また、収納棚５３が下降したときには、収納棚５３は、開口部５１ａを通り斜め前方に移動し、中のものの取出しや収納を容易にすることができる。【００１８】  図９は、本発明の第４の実施の形態のワイド型スライドユニット式昇降戸棚の斜視図を示す。
図９に示すように、昇降装置６０は、収納棚５３の上面側の中央位置で戸棚ケース５１（図８参照）の下側に駆動モータ６１が取付けられ、駆動モータ６１は、ＤＣモータ６１ａと、ＤＣモータ６１ａの回転数を減速しトルクを増大する減速器６１ｂとで構成され、減速器６１ｂは、戸棚ケース５１の内部に取付けられた回転軸６２に連結している。回転軸６２には巻取りローラ６３が取り付けられ、第１のガイドローラ６４が収納棚５３の上部の側面端部側に取り付けられ、第２のガイドローラ６５がシャフト６５ａにより戸棚ケース５１の上面内側に取付けられ、第３のガイドローラ６６がシャフト６６ａにより昇降ケース５２の上面側の後端側に取付けられている。ベルト６８は、一方の端部が巻取りローラ６３に固定され、第１のガイドローラ６４、第２のガイドローラ６５、第３のガイドローラ６６に掛けられ、他方の端部が収納棚５３の上部に設けられたベルト固定部６７に固定されている。昇降装置６０の他方側も同様の構成となっている。
駆動モータ６１は、上昇スイッチ６９ａと下降スイッチ６９ｂとを有し、壁面などに設けられる操作スイッチ６９に接続している。上昇スイッチ６９ａが操作されると、駆動モータ６１は正転作動して巻取りローラ６３がベルト６８を巻き取って収納棚５３を上昇させ、下降スイッチ６９ｂが操作されると、逆転作動して巻取りローラ６３を逆転回動させ巻取りローラ６３に巻かれているベルト６８は巻き戻され収納棚５３を下降させ、さらに、収納棚５３を斜め前方に引出すことができる。【００１９】  図１０は、本発明の第４の実施の形態のワイド型スライドユニット式昇降戸棚の側面図を示し、図１０（ａ）は、収納棚が戸棚ケースに収納されているときの側面図を示し、図１０（ｂ）は、収納棚が下降したときの側面図を示し、図１０（ｃ）は、さらに収納棚が斜め前方に引出されたときの側面図を示す。
図１０（ａ）に示すように、操作スイッチ６９の上昇スイッチ６９ａが操作されたときには、戸棚ケース５１の内側上部の中央に取り付けられた駆動モータ６１が作動して巻取りローラ６３が回動し、巻取りローラ６３に一方の端部が固定され、第１のガイドローラ６４、第２のガイドローラ６５、昇降ケース５２の上端に取付けられた第３のガイドローラ６６に掛けられ、ベルト固定部６７で他方の端部が固定されたベルト６８が巻き上げられて昇降ケース５２が図８に示す垂直方向取付のワイド型スライドユニット１に沿って上昇するとともに収納棚５３も上昇し、戸棚ケース５１に収納されている。
図１０（ｂ）に示すように、操作スイッチ６９の下降スイッチ６９ｂが操作されたときには、駆動モータ６１が作動して巻取りローラ６３が回動し、ベルト６８が巻き戻され、昇降ケース５２は収納棚５３の引出しが行われる所定の位置まで下降するが、まだ収納棚５３は、昇降ケース５２の間で戸棚ケース５１の下方の位置に収納されている。
図１０（ｃ）に示すように、昇降ケース５２が所定の位置まで下降したとき駆動モータ６１が引き続き作動し、第３のガイドローラ６６に掛けたれたベルト６８が緩められると、戸棚ケース５１の前面には開口部５１ａが設けられているため、収納棚５３は、開口部５１ａを通り斜め方向取付のワイド型スライドユニット１により斜め前方にスライド移動することができる。【００２０】  以上述べたように、本発明の第４の実施の形態のワイド型スライドユニット式昇降戸棚は、垂直方向取付のワイド型スライドユニット１と斜め方向に取付のワイド型スライドユニット１とにより、収納棚５３を垂直方向に昇降するとともに斜め前方向に円滑にスライドすることができる。また、ワイド型スライドユニット１は、長方形状のスライドケース３と長方形状のガイドケース２の横幅Ｗを広く設定することができるため、収納棚５３が下降するときには収納棚５３を前後方向に高い強度で、安定的にかつ円滑にスライドをすることができ、収納棚５３が斜め前方向に移動するときには収納棚５３を前後上下方向に高い強度で、安定的にかつ円滑にスライドをすることができる。また、戸棚ケース５１と昇降ケース５２の間と、昇降ケース５２と収納棚５３との間にワイド型スライドユニット１にワイド型スライドユニット１が取付けられているため、収納棚５３が下降したときと斜め前方向に移動したときワイド型スライドユニット１は外から見えないようにすることもでき、美観上好ましいものとすることができる。【００２１】  図１１は、本発明のワイド型スライドユニット式昇降戸棚に設置する第５の実施の形態の駆動停止装置の側面図を示す。
図１１に示すように、駆動停止装置７０は、戸棚ケース１１の内側にコの字形状の固定ブラケット７１が固定され、固定ブラケット７１の内側にバネ７３を介し可動ブラッケット７２が吊下げられ、可動ブラッケット７２の下方には固定バーが取付けられベルト２８の端部が固定されている。戸棚ケース１１の内側にはブラッケット７６が固定され、ブラッケット７６には傾動バー７４がピン７４ａにより傾動自在に取付けられている。傾動バー７４と可動ブラッケット７２とは、可動ブラッケット７２の側面に形成されたラックギヤ７５ａと傾動バー７４の端部に形成されたピニオンギヤ７５ｂとにより連結し、可動ブラッケット７２の上方または下方への移動により、傾動バー７４は傾動する。可動ブラッケット７２は、ベルト２８への負荷とバネ７３の抗力により通常は傾動バー７４が水平となる所定の位置にあるが、ベルト２８に過負荷がかかったときには下方へし移動し、ベルト２８への負荷が減少した時には上方へ移動する。
また、ブラッケット７６には可変抵抗ユニット７７が取付けられ、可変抵抗ユニット７７には、抵抗体７７ａが固定され、抵抗体７７ａ上をスライドするスライダ７８が取付けられている。スライダ７８に固定されたピン７８ａは、傾動バー７４の他方の端部に形成されたスリット７４ｂに挿入されており、傾動バー７４の傾動によりスライダ７８は移動する。
そのため、可動ブラケット７２の上方または下方への移動により傾動バー７４は傾動し、傾動バー７４の傾動によりスライダ７８が移動し、可変抵抗ユニット７７の接続する接続線間の抵抗値が変動する。可変抵抗ユニット７７の抵抗値の変動により、ベルト２８のモータ駆動を停止することができる。
なお、上記の実施例では、可動ブラッケット７２にベルト２８の端部を固定することとしたが、可動ブラッケット７２には昇降装置２０、４０で説明したガイドローラ、昇降装置６０で説明したガイドローラ６５を取付け、ベルトを掛けるようにすることもできる。【００２２】  以上述べたように、本発明のワイド型スライドユニット式昇降戸棚に設置する第５の実施の形態の駆動停止装置は、可動ブラッケット７２の僅かの移動により、正面から見て左右に収納棚が傾斜することなく、モータ駆動を停止することができる。
また、圧電センサや近接スイッチを使用する場合には、判断装置も必要としコスト高とならざるを得ないが、コスト低減を図ることもできる。
なお、本発明の第２、第３、第４の実施の形態のワイド型スライドユニット式昇降戸棚では、ベルトを使用することとしたが、ワイヤなども同様に使用することができる。
また、上記の実施例では、ワイド型スライドユニット１は、垂直および斜めに使用する例につき説明したが、水平方向にして使用することもできる。
【図面の簡単な説明】
【００２３】
【図１】  本発明の第１の実施の形態のワイド型スライドユニットの斜視図を示し、図１（ａ）は、スライドケースが上方位置にあるときの斜視図を示し、図１（ｂ）は、スライドケースが下降しているときの斜視図を示す。
【図２】  本発明の第１の実施の形態のワイド型スライドユニットの断面図を示し、図２（ａ）は、スライドケースの断面図を示し、図２（ｂ）は、スライダーの断面図を示し、図２（ｃ）は、ガイドケースの断面図を示し、図２（ｄ）は、組立てられたワイド型スライドユニットの断面図を示す。
【図３】  本発明の第１の実施の形態の他の実施例のワイド型スライドユニットを示し、図３（ａ）は、ガイドローラ付の断面図を示し、図３（ｂ）は、スリット付のスライダーの断面図を示す。
【図４】  本発明の第２の実施の形態のワイド型スライドユニット式昇降戸棚の斜視図を示し、図４（ａ）は、ワイド型スライドユニット式昇降戸棚の収納棚が戸棚ケースに収納されたときの斜視図を示し、図４（ｂ）は、ワイド型スライドユニット式昇降戸棚の収納棚が下降したときの斜視図を示し、図４（ｃ）は、収納棚が下降したときのワイド型スライドユニットの一部斜視図を示す。
【図５】  本発明の第２の実施の形態のワイド型スライドユニット式昇降戸棚に設けられる昇降装置の斜視図を示す。
【図６】  本発明の第３の実施の形態のワイド型スライドユニット式昇降戸棚の斜視図を示し、図６（ａ）は、ワイド型スライドユニット式昇降戸棚の収納棚が戸棚ケースに収納されたときの斜視図を示し、図６（ｂ）は、ワイド型スライドユニット式昇降戸棚の収納棚が斜め前方に下降したときの斜視図を示す。
【図７】  本発明の第３の実施の形態のワイド型スライドユニット式昇降戸棚の側面図を示し、図７（ａ）は、収納棚が戸棚ケースに収納されたときの側面図を示し、図７（ｂ）は、収納棚が斜め前方に下降したときの側面図を示す。
【図８】  本発明の第４の実施の形態のワイド型スライドユニット式昇降戸棚の分解斜視図を示し、図８（ａ）は、戸棚ケースの斜視図を示し、図８（ｂ）は、戸棚ケースに収納される昇降ケースの斜視図を示し、図８（ｃ）は、昇降ケースに収納される収納棚の斜視図を示す。
【図９】  本発明の第４の実施の形態のワイド型スライドユニット式昇降戸棚の斜視図を示す。
【図１０】  本発明の第４の実施の形態のワイド型スライドユニット式昇降戸棚の側面図を示し、図１０（ａ）は、収納棚が戸棚ケースに収納されているときの側面図を示し、図１０（ｂ）は、収納棚が下降したときの側面図を示し、図１０（ｃ）は、さらに収納棚が斜め前方に引出されたときの側面図を示す。
【図１１】  本発明のワイド型スライドユニット式昇降戸棚に設置する第５の実施の形態の駆動停止装置の側面図を示す。
【符号の説明】
【００２４】  １  ワイド型スライドユニット
２  ガイドケース
３  スライドケース
４  スライダー
１０、３０  ワイド型スライドユニット式昇降戸棚
１１、３１、５１  戸棚ケース
１２、３２、５３  収納棚
２０、４０、６０  昇降装置
２１  駆動モータ
２８、６８  ベルト
５２  昇降ケース
７０  駆動停止装置
７２  可動ブラッケット
７４  傾動バー
７７  可変抵抗ユニット
【図１】
2008161612.tif 000003
【図２】
2008161612.tif 000004
【図３】
2008161612.tif 000005
【図４】
2008161612.tif 000006
【図５】
2008161612.tif 000007
【図６】
2008161612.tif 000008
【図７】
2008161612.tif 000009
【図８】
2008161612.tif 000010
【図９】
2008161612.tif 000011
【図１０】
2008161612.tif 000012
【図１１】
2008161612.tif 000013
【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを備えたことを特徴とするワイド型スライドユニット。
【請求項２】
前記スライダーは、円柱体が互いに平行に形成された形状とすることを特徴とする請求項１に記載のワイド型スライドユニット。
【請求項３】
下側が開口した戸棚ケースと、前記戸棚ケースの内側に収納される収納棚と、前記戸棚ケースの内側側面と前記収納棚の外側側面との間に垂直方向に取付けられるワイド型スライドユニットと、ベルトまたはワイヤをモータ駆動により巻取り巻戻し、前記収納棚を前記ワイド型スライドユニットに沿って垂直方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることを特徴とするワイド型スライドユニット式昇降戸棚。
【請求項４】
下側が開口した戸棚ケースと、前記戸棚ケースの内側に収納される収納棚と、前記戸棚ケースの内側側面と前記収納棚の外側側面との間で斜め方向に取付けられるワイド型スライドユニットと、ベルトまたはワイヤをモータ駆動により巻取り巻戻し、前記収納棚を前記ワイド型スライドユニットに沿って斜め方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることを特徴とするワイド型スライドユニット式昇降戸棚。
【請求項５】
下側が開口した戸棚ケースと、前記戸棚ケースの内側に収納される昇降ケースと、前記戸棚ケースの内側側面と前記昇降ケースの外側側面との間に垂直方向に取付けられる第１のワイド型スライドユニットと、前記昇降ケースの内側に収納される収納棚と、前記昇降ケースの内側側面と前記収納棚の外側側面との間で斜め方向に取付けられる第２のワイド型スライドユニットと、ベルトまたはワイヤをモータ駆動により巻取り巻戻し、前記収納棚を前記第１のワイド型スライドユニットに沿って垂直方向にスライド移動させ、さらに前記収納棚を前記第２のワイド型スライドユニットに沿って斜め方向にスライド移動させる昇降装置とを備え、前記第１、第２のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることを特徴とするワイド型スライドユニット式昇降戸棚。
【請求項６】
前記戸棚ケースの内側にバネを介して取付けられ、前記ベルトまたはワイヤが掛けられるガイドローラ、または前記ベルトまたはワイヤの端部が固定される固定バーが取付けられる可動ブラケットと、前記可動ブラケットの上方または下方への移動により傾動する傾動バーと、前記傾動バーの傾動により抵抗値が変動する可変抵抗ユニットとを備え、前記可変抵抗ユニットの変動により前記ベルトまたはワイヤの前記モータ駆動を停止することを特徴とする請求項３から請求項５のいずれが１項に記載のワイド型スライドユニット式昇降戸棚。
【手続補正２】
【補正対象書類名】明細書
【補正対象項目名】０００５
【補正方法】変更
【補正の内容】
【０００５】  本発明のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを備えることとした。
また、前記スライダーは、円柱体が互いに平行に形成された形状とすることとした。
また、本発明のワイド型スライドユニット式昇降戸棚は、下側が開口した戸棚ケースと、前記戸棚ケースの内側に収納される収納棚と、前記戸棚ケースの内側側面と前記収納棚の外側側面との間に垂直方向に取付けられるワイド型スライドユニットと、ベルトまたはワイヤをモータ駆動により巻取り巻戻し、前記収納棚を前記ワイド型スライドユニットに沿って垂直方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとした。
また、本発明のワイド型スライドユニット式昇降戸棚は、下側が開口した戸棚ケースと、前記戸棚ケースの内側に収納される収納棚と、前記戸棚ケースの内側側面と前記収納棚の外側側面との間で斜め方向に取付けられるワイド型スライドユニットと、ベルトまたはワイヤをモータ駆動により巻取り巻戻し、前記収納棚を前記ワイド型スライドユニットに沿って斜め方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとした。
また、本発明のワイド型スライドユニット式昇降戸棚は、下側が開口した戸棚ケースと、前記戸棚ケースの内側に収納される昇降ケースと、前記戸棚ケースの内側側面と前記昇降ケースの外側側面との間に垂直方向に取付けられる第１のワイド型スライドユニットと、前記昇降ケースの内側に収納される収納棚と、前記昇降ケースの内側側面と前記収納棚の外側側面との間で斜め方向に取付けられる第２のワイド型スライドユニットと、ベルトまたはワイヤをモータ駆動により巻取り巻戻し、前記収納棚を前記第１のワイド型スライドユニットに沿って垂直方向にスライド移動させ、さらに前記収納棚を前記第２のワイド型スライドユニットに沿って斜め方向にスライド移動させる昇降装置とを備え、前記第１、第２のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとした。
さらに、前記戸棚ケースの内側にバネを介して取付けられ、前記ベルトまたはワイヤが掛けられるガイドローラ、または前記ベルトまたはワイヤの端部が固定される固定バーが取付けられる可動ブラケットと、前記可動ブラケットの上方または下方への移動により傾動する傾動バーと、前記傾動バーの傾動により抵抗値が変動する可変抵抗ユニットとを備え、前記可変抵抗ユニットの変動により前記ベルトまたはワイヤの前記モータ駆動を停止することとした。
【手続補正３】
【補正対象書類名】明細書
【補正対象項目名】０００６
【補正方法】変更
【補正の内容】
【０００６】  本発明のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを備えることとしたため、スライドケースがガイドケースに沿って円滑にスライドすることができ、横方向の強度の高い安定的なスライドをすることができ、また、美観上好ましい取付けとすることもできる。
また、前記スライダーは、円柱体が互いに平行に形成された形状とすることとしたため、スライドケースがガイドケースに沿ってより円滑にスライドすることができる。
また、本発明のワイド型スライドユニット式昇降戸棚は、下側が開口した戸棚ケースと、前記戸棚ケースの内側に収納される収納棚と、前記戸棚ケースの内側側面と前記収納棚の外側側面との間に垂直方向に取付けられるワイド型スライドユニットと、ベルトまたはワイヤをモータ駆動により巻取り巻戻し、前記収納棚を前記ワイド型スライドユニットに沿って垂直方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとしたため、ワイド型スライドユニットにより、収納棚を垂直方向に円滑にスライド昇降することができ、収納棚を前後方向に高い強度で安定的にかつ円滑にスライドをすることもできる。また、収納棚が下降してもスライドケースは外から見えないようにすることもでき、美観上好ましいものとすることができる。
また、本発明のワイド型スライドユニット式昇降戸棚は、下側が開口した戸棚ケースと、前記戸棚ケースの内側に収納される収納棚と、前記戸棚ケースの内側側面と前記収納棚の外側側面との間で斜め方向に取付けられるワイド型スライドユニットと、ベルトまたはワイヤをモータ駆動により巻取り巻戻し、前記収納棚を前記ワイド型スライドユニットに沿って斜め方向にスライド移動させる昇降装置とを備え、前記ワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとしたため、ワイド型スライドユニットにより、収納棚を斜め方向に円滑にスライド昇降することができ、収納棚を前後方向に高い強度で安定的にかつ円滑にスライドをすることもできる。また、収納棚が下降してもスライドケースは外から見えないようにすることもでき、美観上好ましいものとすることができる。
また、本発明のワイド型スライドユニット式昇降戸棚は、下側が開口した戸棚ケースと、前記戸棚ケースの内側に収納される昇降ケースと、前記戸棚ケースの内側側面と前記昇降ケースの外側側面との間に垂直方向に取付けられる第１のワイド型スライドユニットと、前記昇降ケースの内側に収納される収納棚と、前記昇降ケースの内側側面と前記収納棚の外側側面との間で斜め方向に取付けられる第２のワイド型スライドユニットと、ベルトまたはワイヤをモータ駆動により巻取り巻戻し、前記収納棚を前記第１のワイド型スライドユニットに沿って垂直方向にスライド移動させ、さらに前記収納棚を前記第２のワイド型スライドユニットに沿って斜め方向にスライド移動させる昇降装置とを備え、前記第１、第２のワイド型スライドユニットは、両方の側面側に沿ってそれぞれガイド溝が形成された長方形状のガイドケースと、両方の側面側に沿ってそれぞれスライド溝が前記ガイドケースの前記ガイド溝に対向する位置に形成された長方形状のスライドケースと、前記ガイド溝と前記スライド溝とに取付けられるスライダーとを設け前記スライドケースが前記ガイドケースに沿ってスライドすることとしたため、第１のワイド型スライドユニットにより、収納棚が下降するときには収納棚を前後方向に高い強度で安定的にかつ円滑にスライドをすることができ、第２のワイド型スライドユニットにより、収納棚が斜め方向に移動するときには収納棚を前後上下方向に高い強度で、安定的にかつ円滑にスライドをすることができる。また、収納棚が下降するときと斜め前方向に移動するときワイド型スライドユニットは外から見えないようにすることもでき、美観上好ましいものとすることができる。
さらに、前記戸棚ケースの内側にバネを介して取付けられ、前記ベルトまたはワイヤが掛けられるガイドローラ、または前記ベルトまたはワイヤの端部が固定される固定バーが取付けられる可動ブラケットと、前記可動ブラケットの上方または下方への移動により傾動する傾動バーと、前記傾動バーの傾動により抵抗値が変動する可変抵抗ユニットとを備え、前記可変抵抗ユニットの変動により前記ベルトまたはワイヤの前記モータ駆動を停止することとしたため、可動ブラッケットの僅かの移動により、正面から見て左右に収納棚が傾斜することなく、モータ駆動を停止することができ、簡潔構造でコスト低減を図ることもできる。